(57)【要約】【課題】回路規模の増大を抑制しつつ、送信用信号の品質を監視することができる信号監視装置、送信装置、信号監視方法、および信号監視用プログラムを提供する。【解決手段】  信号選択部３１が、複数の送信用信号生成部から入力された複数の送信用信号のうち、品質測定用の送信用信号を選択する。品質測定部３２が、信号選択部３１が選択した品質測定用の送信用信号の品質を測定する。そして、送信用信号決定部３７は、品質測定部３２が測定した品質に基づいて、送信する送信用信号を決定する。【選択図】      図１
2020005021.tif 000002
【特許請求の範囲】
【請求項１】
複数の送信用信号生成手段から入力された複数の送信用信号のうち、品質測定用の送信用信号を選択する信号選択手段と、
前記信号選択手段が選択した前記品質測定用の送信用信号の品質を測定する品質測定手段と、
前記品質測定手段が測定した品質に基づいて、送信する送信用信号を決定する送信用信号決定手段とを備えた
ことを特徴とする信号監視装置。
【請求項２】
前記信号選択手段は、所定の時間間隔で、選択する送信用信号を切り替える
請求項１に記載の信号監視装置。
【請求項３】
前記品質測定手段は、変調誤差比とビット誤り率とを測定する
請求項１または請求項２に記載の信号監視装置。
【請求項４】
前記送信用信号決定手段は、前記複数の送信用信号のビット誤り率が互いに同じであった場合に、変調誤差比がより小さい送信用信号を送信する送信用信号に決定する
請求項３に記載の信号監視装置。
【請求項５】
前記品質測定手段は、前記信号選択手段が選択した送信用信号を前記品質測定用の送信用信号から他の送信用信号に切り替えた場合に、予め決められた時間経過後に、前記他の送信用信号について変調誤差比の測定を開始する
請求項３または請求項４に記載の信号監視装置。
【請求項６】
請求項１から請求項５のうちいずれか１項に記載の信号監視装置と、
前記複数の送信用信号生成手段および前記送信用信号決定手段が送信すると決定した送信用信号を送信する送信手段のうち少なくともいずれか一方とを備えた
ことを特徴とする送信装置。
【請求項７】
複数の送信用信号生成手段から入力された複数の送信用信号のうち、品質測定用の送信用信号を選択し、
選択した前記品質測定用の送信用信号の品質を測定し、
測定した品質に基づいて、送信する送信用信号を決定する
ことを特徴とする信号監視方法。
【請求項８】
コンピュータに、
複数の送信用信号生成手段から入力された複数の送信用信号のうち、品質測定用の送信用信号を選択する信号選択処理と、
前記信号選択処理で選択した前記品質測定用の送信用信号の品質を測定する品質測定処理と、
前記品質測定処理で測定した品質に基づいて、送信する送信用信号を決定する送信用信号決定処理とを実行させる
ための信号監視用プログラム。
【発明の詳細な説明】
【技術分野】
【０００１】
本発明は、送信用信号を監視する信号監視装置、送信装置、信号監視方法、および信号監視用プログラムに関する。
【背景技術】
【０００２】
放送局には、地上デジタル放送等の放送の中断等を防ぐために、送信機に、複数系統の送信用システムが用意されている。具体的には、放送局の送信機には、例えば、一方の送信用システム（１系の送信用システムともいう）と他方の送信用システム（２系の送信用システムともいう）とがそれぞれ用意されている。そして、１系の送信用システムが生成した送信用信号（１系の送信用信号ともいう）と２系の送信用システムが生成した送信用信号（２系の送信用信号ともいう）とが適宜切り替えられて、送信機から出力される。
【０００３】
特許文献１には、１系の送信用信号のノイズの量と２系の送信用信号のノイズの量とを測定および比較して、よりノイズの量が少ない送信用信号を出力する送信機が記載されている。
【先行技術文献】
【特許文献】
【０００４】
【特許文献１】特開２００４−０９６４６８号公報
【発明の概要】
【発明が解決しようとする課題】
【０００５】
特許文献１に記載されているように１系の送信用信号のノイズの量と２系の送信用信号のノイズの量とを測定するためには、各送信用信号になされた変調処理および符号化処理に応じた復調処理および復号処理を各送信用信号に施すことが必要になる。特に、地上デジタル放送等のデジタル放送における送信用信号は、Ａ階層、Ｂ階層およびＣ階層の３つの階層ごとに符号化処理および変調処理が施されているため、復号処理および復調処理も階層ごとに送信用信号に施さなければならない。
【０００６】
そのような復調処理および復号処理には多大な量の計算が必要になるので、送信機においてそのような多大な量の計算を処理するための回路が必要になり、送信機の回路規模が増大してしまうという問題がある。
【０００７】
そこで、本発明は、回路規模の増大を抑制しつつ、送信用信号の品質を監視することができる信号監視装置、送信装置、信号監視方法、および信号監視用プログラムを提供することを目的とする。
【課題を解決するための手段】
【０００８】
本発明による信号監視装置は、複数の送信用信号生成手段から入力された複数の送信用信号のうち、品質測定用の送信用信号を選択する信号選択手段と、信号選択手段が選択した品質測定用の送信用信号の品質を測定する品質測定手段と、品質測定手段が測定した品質に基づいて、送信する送信用信号を決定する送信用信号決定手段とを備えたことを特徴とする。
【０００９】
本発明による送信装置は、いずれかの態様の信号監視装置と、複数の送信用信号生成手段および送信用信号決定手段が送信すると決定した送信用信号を送信する送信手段のうち少なくともいずれか一方とを備えたことを特徴とする。
【００１０】
本発明による信号監視方法は、複数の送信用信号生成手段から入力された複数の送信用信号のうち、品質測定用の送信用信号を選択し、選択した品質測定用の送信用信号の品質を測定し、測定した品質に基づいて、送信する送信用信号を決定することを特徴とする。
【００１１】
本発明による信号監視用プログラムは、コンピュータに、複数の送信用信号生成手段から入力された複数の送信用信号のうち、品質測定用の送信用信号を選択する信号選択処理と、信号選択処理で選択した品質測定用の送信用信号の品質を測定する品質測定処理と、品質測定処理で測定した品質に基づいて、送信する送信用信号を決定する送信用信号決定処理とを実行させることを特徴とする。
【発明の効果】
【００１２】
本発明によれば、回路規模の増大を抑制しつつ、送信用信号の品質を監視することができる。
【図面の簡単な説明】
【００１３】
【図１】第１の実施形態の送信品質監視システムの接続例を示すブロック図である。
【図２】品質監視部の構成例を示すブロック図である。
【図３】品質監視部の構成例を示すブロック図である。
【図４】品質監視部の構成例を示すブロック図である。
【図５】第１の実施形態の送信品質監視システムの動作を説明するフローチャートである。
【図６】第２の実施形態の信号監視装置１の構成例を示すブロック図である。
【発明を実施するための形態】
【００１４】
実施形態１．
本発明の第１の実施形態の送信品質監視システム３００について、図面を参照して説明する。図１は、本発明の第１の実施形態の送信品質監視システム３００の接続例を示すブロック図である。
【００１５】
なお、本例では、地上デジタル放送における送信用信号の品質を監視する場合を例に説明するが、他の信号の品質を監視するように構成されていてもよい。
【００１６】
図１に示すように、第１の実施形態の送信品質監視システム３００は、送信機１０に搭載されている。そして、図１に示すように、送信機１０は、送信品質監視システム３００、第１の送信用信号生成部１００、第２の送信用信号生成部２００、および出力同軸装置４００を含み、アンテナ５００が接続されている。
【００１７】
第１の送信用信号生成部１００および第２の送信用信号生成部２００には、それぞれ送信用信号生成用のデータが入力される。そして、第１の送信用信号生成部１００および第２の送信用信号生成部２００は、入力されたデータに基づいて、それぞれ、送信用信号を生成する。なお、第１の送信用信号生成部１００が生成した送信用信号を第１の送信用信号という。また、第２の送信用信号生成部２００が生成した送信用信号を第２の送信用信号という。
【００１８】
そして、第１の送信用信号生成部１００は、出力同軸装置４００に、生成した第１の送信用信号を入力する。また、第２の送信用信号生成部２００は、出力同軸装置４００に、生成した第２の送信用信号を入力する。
【００１９】
送信品質監視システム３００には、出力同軸装置４００を介して、第１の送信用信号と第２の送信用信号が入力される。送信品質監視システム３００は、入力された第１の送信用信号と第２の送信用信号とに基づいて、いずれの送信用信号を送信すべきかを示す選択指示情報を生成する。そして、送信品質監視システム３００は、出力同軸装置４００に、生成した選択指示情報を入力する。
【００２０】
出力同軸装置４００は、入力された選択指示情報に基づいて、入力された第１の送信用信号および第２の送信用信号のうちいずれか一方の送信用信号をアンテナ５００に入力する。アンテナ５００に入力された第１の送信用信号または第２の送信用信号は、電磁波に変換されて放射（送信）される。
【００２１】
また、出力同軸装置４００は、入力された第１の送信用信号および第２の送信用信号に、後述する所定のフィルタリング処理を施す。そして、出力同軸装置４００は、送信品質監視システム３００に、所定のフィルタリング処理を施した第１の送信用信号および第２の送信用信号を入力する。
【００２２】
本例では、第１の送信用信号生成部１００および第２の送信用信号生成部２００に、地上デジタルテレビジョン放送に用いられる送信用信号生成用のデータが入力されるとする。具体的には、例えば、そして、出力同軸装置４００は、それぞれが互いに異なる周波数帯からなるＡ階層、Ｂ階層、およびＣ階層の３つの階層からなる地上デジタルテレビジョン放送に用いられる送信用信号をアンテナ５００に入力するとする。
【００２３】
次に、第１の送信用信号生成部１００の構成について図１を参照して説明する。図１に示すように、第１の送信用信号生成部１００は、変調部１１０と増幅部１２０とを含む。
【００２４】
変調部１１０は、第１の送信用信号生成部１００に入力された送信用信号生成用のデータに基づいて、所定の周波数の搬送波に変調処理を施して第１の送信用信号を生成する。具体的には、変調部１１０は、まず、例えば、送信用信号生成用のデータに、Ｈ．２６４に基づく符号化処理を施し、携帯電話・移動体端末向けの１セグメント部分受信サービス（移動体受信サービスともいう。以下、ワンセグともいう）用信号（以下、ワンセグ用信号）を生成する。また、変調部１１０は、例えば、送信用信号生成用のデータに、ＭＰＥＧ（Ｍｏｖｉｎｇ  Ｐｉｃｔｕｒｅ  Ｅｘｐｅｒｔｓ  Ｇｒｏｕｐ）−２に基づく符号化処理を施し、２Ｋ用信号を生成する。なお、「２Ｋ」とは、画面解像度が横２０００程度×縦１０００程度となるような映像の総称であり、２Ｋ用信号とは、受像機にそのような映像を表示させるための信号である。そして、変調部１１０は、符号化処理が施されたワンセグ用信号と２Ｋ用信号とに、それぞれに応じた変調処理を施す。なお、変調処理は、例えば、デジタル変調処理である。より具体的には、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調処理である。したがって、本例では、第１の送信用信号は、ＯＦＤＭ信号である。そして、変調部１１０は、増幅部１２０に、生成した第１の送信用信号を入力する。なお、ワンセグ用信号に基づいてＡ階層の周波数帯の信号が構成され、２Ｋ用信号に基づいてＢ階層の周波数帯の信号およびＣ階層の周波数帯の信号が構成される。
【００２５】
なお、変調部１１０は、生成したワンセグ用信号および２Ｋ用信号に、誤り訂正用の符号であるリードソロモン（Ｒｅｅｄ−Ｓｏｌｏｍｏｎ）符号（例えば、ＲＳ（２０４，１８８））を付す処理を施す。なお、ワンセグ用信号および２Ｋ用信号に付される誤り訂正用の符号はリードソロモン符号に限られず、他の符号であってもよい。
【００２６】
変調部１１０は、誤り訂正用の符号が付されたデータに、所定のエネルギー拡散処理を施す。具体的には、変調部１１０は、例えば、Ｍ（Ｍａｘｉｍｕｍ  Ｌｅｎｇｔｈ）系列１５次ＰＮ（Ｐｓｅｕｄｏ−Ｎｏｉｓｅ）信号等が用いられて生成された所定のＰＲＢＳ（Ｐｓｅｕｄｏ−Ｒａｎｄｏｍ  Ｂｉｎａｒｙ  Ｓｅｑｕｅｎｃｅ：擬似ランダム符号系列）と、入力されたデータにおいて同期バイトを除いたビット列とで、それぞれビット単位の排他的論理和を算出する。そして、変調部１１０は、それぞれの算出結果を、入力されたデータにエネルギー拡散処理を施した結果とする。
【００２７】
変調部１１０は、エネルギー拡散処理が施されたデータをバイト単位のデータに変換し、変換されたバイト単位のそれぞれのデータに互いの遅延量を異ならせるバイトインターリーブの処理を施す。
【００２８】
変調部１１０は、バイトインターリーブの処理が施された、ワンセグ信号に基づくビットストリーム、および２Ｋ用信号に基づくビットストリームに、例えば、所定の畳込み符号化処理をそれぞれ施す。具体的には、変調部１１０は、当該ビットストリームに、例えば、拘束長ｋ＝７、符号化率１／２の原符号をマザーコードとし、階層ごとにそれぞれ設定された符号化率で、パンクチャード畳込み符号の符号化処理を施す。
【００２９】
変調部１１０は、符号化処理が施されたビットストリームに、後になされるマッピングに応じたビットインターリーブの処理を施す。具体的には、例えば、符号化処理が施されたワンセグ信号に基づくビットストリームに、ＱＰＳＫ（Ｑｕａｄｒａｔｕｒｅ  Ｐｈａｓｅ  Ｓｈｉｆｔ  Ｋｅｙｉｎｇ）のマッピング処理が施されるとする。そこで、変調部１１０は、ワンセグ用信号に基づくビットストリームに、例えば、１２０ビットの遅延素子を挿入するビットインターリーブの処理を施す。また、符号化処理が施された２Ｋ用信号に基づくビットストリームに、６４ＱＡＭ（Ｑｕａｄｒａｔｕｒｅ  Ａｍｐｌｉｔｕｄｅ  Ｍｏｄｕｌａｔｉｏｎ）のマッピング処理が施されるとする。そこで、変調部１１０は、２Ｋ用信号に基づくビットストリームに、例えば、２４〜１２０ビットの遅延素子を挿入するビットインターリーブの処理を施す。
【００３０】
変調部１１０は、例えば、ビットインターリーブの処理が施されたビットストリームに、マッピング処理を行う。具体的には、変調部１１０は、例えば、ビットインターリーブの処理を施したワンセグ信号に基づくビットストリームに、ＱＰＳＫのマッピング処理を施し、ＯＦＤＭ信号を生成する。また、変調部１１０は、例えば、ビットインターリーブの処理を施した２Ｋ用信号に基づくビットストリームに、６４ＱＡＭ等のマッピング処理を施し、ＯＦＤＭ信号を生成する。
【００３１】
なお、変調部１１０は、各ＯＦＤＭ信号を生成するときに、ＯＦＤＭ信号の各キャリアにおける各シンボルに、例えば、施されたマッピング処理を示すＴＭＣＣ情報を含ませる。
【００３２】
変調部１１０は、例えば、変調（マッピング処理）後のシンボルデータを時間的に分散させ、耐フェージング性能を改善させるために、変調シンボル単位（Ｉ，Ｑ軸単位）で、ＯＦＤＭ信号に所定の時間インターリーブ処理を施す。
【００３３】
なお、ＯＦＤＭ信号の周波数帯は、例えば、１３個のセグメントに分けられ、変調部１１０は、例えば、第１の送信用信号に、各セグメント内でキャリア（搬送波）の周波数を変更（ローテーション）させたり、各セグメント間で使用する周波数帯を交換したりする周波数インターリーブの処理を行う。そして、変調部１１０は、第１の送信用信号に、行われた周波数インターリーブの処理の内容を示す情報を含ませる。
【００３４】
増幅部１２０は、入力された第１の送信用信号を所定の増幅率で増幅する。そして、増幅部１２０は、出力同軸装置４００に、増幅後の第１の送信用信号を入力する。
【００３５】
第２の送信用信号生成部２００は、図１に示す第１の送信用信号生成部１００における変調部１１０および増幅部１２０に相当する変調部２１０および増幅部２２０を含む。
【００３６】
変調部２１０および増幅部２２０は、対応する変調部１１０および増幅部１２０の動作と同様な処理を行って、第２の送信用信号を生成する。そして、増幅部２２０は、出力同軸装置４００に、増幅後の第２の送信用信号を入力する。
【００３７】
次に、送信品質監視システム３００の構成について図１を参照して説明する。図１に示すように、本発明の第１の実施形態の送信品質監視システム３００は、信号切替部３１０と、品質監視部３２０とを含む。
【００３８】
信号切替部３１０には、第１の送信用信号および第２の送信用信号が入力される。そして、信号切替部３１０は、品質監視部３２０に、第１の送信用信号および第２の送信用信号のうちいずれか一方の送信用信号を入力する。なお、信号切替部３１０は、例えば、所定の時間間隔で、または操作者の指示に応じて、品質監視部３２０に入力する送信用信号を、第１の送信用信号と第２の送信用信号との間で相互に切り替える。したがって、品質監視部３２０には、第１の送信用信号と第２の送信用信号とが交互に入力されることになる。
【００３９】
品質監視部３２０には、第１の送信用信号と第２の送信用信号とが交互に入力される。そして、品質監視部３２０は、入力された送信用信号（つまり、第１の送信用信号および第２の送信用信号のうちいずれか）を復調および復号して、入力された送信用信号の品質を測定する。したがって、品質監視部３２０は、第１の送信用信号の品質と第２の送信用信号の品質とを交互に測定することになる。
【００４０】
なお、本例では、品質監視部３２０が、送信用信号の品質として、ＭＥＲ（Ｍｏｄｕｌａｔｉｏｎ  Ｅｒｒｏｒ  Ｒａｔｉｏ（変調誤差比））、およびＢＥＲ（Ｂｉｔ  Ｅｒｒｏｒ  Ｒａｔｅ（ビット誤り率））を測定するとして説明するが、他の指標を測定するように構成されていてもよい。
【００４１】
品質監視部３２０は、測定した、第１の送信用信号の品質と第２の送信用信号の品質とに基づいて、出力する送信用信号を決定する。そして、品質監視部３２０は、決定結果に応じた選択指示情報を生成して、出力同軸装置４００に入力する。
【００４２】
出力同軸装置４００の構成について図１を参照して説明する。出力同軸装置４００は、第１の帯域通過フィルタ４１０、第２の帯域通過フィルタ４２０、および切替器（送信手段）４３０を含む。
【００４３】
第１の帯域通過フィルタ４１０には、第１の送信用信号生成部１００によって出力同軸装置４００に入力された第１の送信用信号が入力される。第１の帯域通過フィルタ４１０において、入力された信号に、例えば、所定の周波数帯の信号を通過させる所定のフィルタリング処理が施される。
【００４４】
そして、第１の帯域通過フィルタ４１０によって所定のフィルタリング処理が施された第１の送信用信号は、切替器４３０および送信品質監視システム３００に入力される。
【００４５】
第２の帯域通過フィルタ４２０には、第２の送信用信号生成部２００によって出力同軸装置４００に入力された第２の送信用信号が入力される。第２の帯域通過フィルタ４２０において、入力された信号に、例えば、所定の周波数帯の信号を通過させる所定のフィルタリング処理が施される。なお、第２の帯域通過フィルタ４２０において行われる所定のフィルタリング処理は、例えば、第１の帯域通過フィルタ４１０において行われる所定のフィルタリング処理と同様な処理である。
【００４６】
そして、第２の帯域通過フィルタ４２０によって所定のフィルタリング処理が施された第２の送信用信号は、切替器４３０および送信品質監視システム３００に入力される。
【００４７】
切替器４３０は、送信品質監視システム３００によって出力同軸装置４００に入力された選択指示情報に基づいて、出力する送信用信号を、帯域通過フィルタ４１０，４２０を介して入力された、第１の送信用信号と第２の送信用信号との間で相互に切り替える。
【００４８】
次に、品質監視部３２０の構成について、より具体的に説明する。図２〜４は、品質監視部３２０の構成例を示すブロック図である。図２〜４に示すように、品質監視部３２０は、直交復調処理部３２１、同期再生部３２２、ＦＦＴ処理部３２３、等化処理部３２４、周波数デインターリーブ処理部３２５、時間デインターリーブ処理部３２６、階層分割部３２７、デマッピング処理部３２８−ａ〜ｃ、ビットデインターリーブ処理部３２９−ａ〜ｃ、デパンクチャ処理部３３０−ａ〜ｃ、ビタビ（Ｖｉｔｅｒｂｉ）復号処理部３３１−ａ〜ｃ、バイトデインターリーブ処理部３３２−ａ〜ｃ、エネルギー逆拡散処理部３３３−ａ〜ｃ、ＲＳ復号処理部３３４−ａ〜ｃ、ＢＥＲ測定部３３５−ａ〜ｃ、ＭＥＲ測定部３３６、および決定部３３７を含む。
【００４９】
直交復調処理部３２１には、信号切替部３１０によって、第１の送信用信号および第２の送信用信号のうちいずれか一方の送信用信号が入力される。なお、第１の送信用信号および第２の送信用信号を送信用信号と総称することがある。
【００５０】
直交復調処理部３２１は、入力された送信用信号に所定の直交復調処理を施す。具体的には、直交復調処理部３２１は、入力された送信用信号と、互いに直交する復調用信号とをそれぞれ混合して、Ｉ（Ｉｎ−ｐｈａｓｅ）成分の信号とＱ（Ｑｕａｄｒａｔｕｒｅ）成分の信号とを得る。
【００５１】
そして、直交復調処理後の送信用信号であるそれら信号を同期再生部３２２およびＦＦＴ処理部３２３にそれぞれ入力する。
【００５２】
同期再生部３２２は、直交復調処理部３２１が入力した信号、ＦＦＴ処理部３２３によってＦＦＴ処理が施された信号、およびフレーム同期信号に基づいて、ＯＦＤＭにおけるキャリア数に応じたモード（本例では、モード３）、およびガードインターバル長に応じて、ＯＦＤＭシンボル同期およびＦＦＴサンプル周波数を再生する。具体的には、同期再生部３２２は、例えば、各部から入力された信号に基づいて、ＯＦＤＭシンボルの同期をとるためのタイミング、およびＦＦＴサンプル周波数を特定（再生）する。なお、フレーム同期信号は、ＦＦＴ処理部３２３によってＦＦＴ処理が施された信号から抽出される。
【００５３】
ＦＦＴ処理部３２３は、同期再生部３２２が再生した情報に基づいて、直交復調処理部３２１が入力した信号にＦＦＴの処理を施し、直交復調処理部３２１が入力した時間領域の信号を周波数領域の信号に変換する。そして、ＦＦＴ処理部３２３は、等化処理部３２４に、変換後の周波数領域の信号を入力する。
【００５４】
等化処理部３２４は、入力された周波数領域の信号に、所定の歪補償処理を施す。そして、等化処理部３２４は、周波数デインターリーブ処理部３２５およびＭＥＲ測定部３３６に、所定の歪補償処理を施した周波数領域の信号を入力する。
【００５５】
周波数デインターリーブ処理部３２５は、周波数領域の信号に含まれている周波数インターリーブの処理の内容を示す情報に基づいて、変調部１１０で施された周波数インターリーブの処理で変更された各キャリアの周波数や、交換された他のセグメントとの間で交換された周波数帯を元に戻す周波数デインターリーブの処理を、ＦＦＴ処理部３２３が変換した周波数領域の信号に施す。
【００５６】
時間デインターリーブ処理部３２６は、変調部１１０で施された時間インターリーブ処理によって時間的に分散したシンボルデータを元の時間的な順序に戻す時間デインターリーブ処理を、周波数デインターリーブ処理部３２５によって周波数デインターリーブの処理が施された信号に施す。
【００５７】
階層分割部３２７は、時間デインターリーブ処理部３２６が時間デインターリーブ処理を施した信号を各階層に応じた信号に分割する。具体的には、階層分割部３２７は、例えば、時間デインターリーブ処理部３２６が時間デインターリーブ処理を施した信号において、Ａ階層に応じた周波数帯のキャリアの信号をデマッピング処理部３２８−ａに入力し、Ｂ階層に応じた周波数帯のキャリアの信号をデマッピング処理部３２８−ｂに入力し、Ｃ階層に応じた周波数帯のキャリアの信号をデマッピング処理部３２８−ｃに入力する。
【００５８】
デマッピング処理部３２８−ａ〜ｃは、入力された信号に含まれている（本例では、ＯＦＤＭ信号の各キャリアにおける各シンボルに含まれている）ＴＭＣＣ情報に基づいて、変調部１１０で施されたマッピング処理に応じたデマッピング処理を、時間デインターリーブ処理が施された信号に施す。本例では、Ａ階層に応じた周波数帯のキャリアの信号には、ＱＰＳＫのマッピング処理が施されている。そこで、デマッピング処理部３２８−ａは、階層分割部３２７が入力した信号にＱＰＳＫに応じたデマッピング処理を施し、ビット情報（ビットストリーム）を抽出する。また、本例では、Ｂ階層に応じた周波数帯のキャリアの信号には、６４ＱＡＭのマッピング処理が施されている。そこで、デマッピング処理部３２８−ｂは、階層分割部３２７が入力した信号にそれらマッピング処理に応じたデマッピング処理を施し、ビット情報（ビットストリーム）を抽出する。本例では、Ｃ階層に応じた周波数帯のキャリアの信号には、６４ＱＡＭのマッピング処理が施されている。そこで、デマッピング処理部３２８−ｃは、階層分割部３２７が入力した信号にそれらマッピング処理に応じたデマッピング処理を施し、ビット情報（ビットストリーム）を抽出する。
【００５９】
ビットデインターリーブ処理部３２９−ａ〜ｃは、変調部１１０が施したビットインターリーブの処理に応じたビットデインターリーブの処理を、デマッピング処理部３２８−ａ〜ｃが抽出したビットストリームに施す。具体的には、本例では、変調部１１０で、ワンセグ信号に基づくビットストリームに、例えば、１２０ビットの遅延素子を挿入したビットインターリーブの処理が施されている。そこで、ビットデインターリーブ処理部３２９−ａは、例えば、デマッピング処理部３２８−ａが抽出したビットストリームから、例えば、１２０ビットの遅延素子を消去するビットデインターリーブの処理を行う。また、本例では、変調部１１０で、２Ｋ用信号に基づくビットストリームに、例えば、２４〜１２０ビットの遅延素子を挿入するビットインターリーブの処理が施されている。そこで、ビットデインターリーブ処理部３２９−ｂ，ｃは、例えば、デマッピング処理部３２８−ｂ，ｃが抽出したビットストリームから、例えば、当該遅延素子を消去するビットデインターリーブの処理を行う。
【００６０】
デパンクチャ処理部３３０−ａ〜ｃは、変調部１１０が施した所定の畳込み符号化処理に応じて、畳込み符号のビット補間を行う。具体的には、デパンクチャ処理部３３０−ａは、例えば、Ａ階層の符号化率に応じて、畳込み符号のビット補間を行う。また、デパンクチャ処理部３３０−ｂは、例えば、Ｂ階層の符号化率に応じて、畳込み符号のビット補間を行う。デパンクチャ処理部３３０−ｃは、例えば、Ｃ階層の符号化率に応じて、畳込み符号のビット補間を行う。
【００６１】
ビタビ復号処理部３３１−ａ〜ｃは、デパンクチャ処理部３３０−ａ〜ｃによってビットが補間されたビットストリームに、復号処理を施す。そして、ビタビ復号処理部３３１−ａ〜ｃは、バイトデインターリーブ処理部３３２−ａ〜ｃに、復号処理が施されたビットストリームを入力する。具体的には、ビタビ復号処理部３３１−ａ〜ｃは、当該ビットストリームに、例えば、ビタビアルゴリズムに基づく復号処理を施す。なお、当該ビットストリームに、他のアルゴリズムに基づく復号処理が施されてもよい。
【００６２】
バイトデインターリーブ処理部３３２−ａ〜ｃは、入力されたビット単位のデータ（ビットストリーム）をバイト単位のデータに変換する。そして、バイトデインターリーブ処理部３３２−ａ〜ｃは、例えば、変調部１１０でバイトインターリーブの処理が施されて設定された遅延量をリセットするバイトデインターリーブの処理を当該データに施す。
【００６３】
エネルギー逆拡散処理部３３３−ａ〜ｃは、バイトデインターリーブ処理部３３２−ａ〜ｃによってバイトデインターリーブの処理が施されたバイト単位のデータをビット単位のビットストリームに変換し、変換後のビットストリームにエネルギー逆拡散の処理を施す。具体的には、エネルギー逆拡散処理部３３３−ａ〜ｃは、例えば、当該ビットストリームのうち同期バイトを除くビット列と、変調部１１０がエネルギー拡散の処理に用いた所定のＰＲＢＳとで、それぞれビット単位の排他的論理和を算出する。そして、エネルギー逆拡散処理部３３３−ａ〜ｃは、エネルギー逆拡散の処理を施した結果として、ＲＳ復号部３３４−ａ〜ｃにそれぞれの算出結果のデータを入力する。
【００６４】
ＲＳ復号部３３４−ａ〜ｃは、変調部１１０によって付された誤り訂正用の符号であるリードソロモン（Ｒｅｅｄ−Ｓｏｌｏｍｏｎ）符号（例えば、ＲＳ（２０４，１８８））に基づいて、入力されたデータの誤りを検出および訂正する復号処理を施す。そして、ＲＳ復号部３３４−ａ〜ｃは、復号処理後の誤りビット数を計数する。
【００６５】
ＲＳ復号部３３４−ａ〜ｃは、エネルギー逆拡散処理部３３３−ａ〜ｃによって入力されたビット数および計数したエラービット数を示すビット数情報をそれぞれ生成して、ＢＥＲ測定部３３５−ａ〜ｃにそれぞれ入力する。
【００６６】
ＢＥＲ測定部３３５−ａ〜ｃは、ＲＳ復号部３３４−ａ〜ｃがそれぞれ入力したビット数情報に基づいて、ＢＥＲを算出する。具体的には、ＢＥＲ測定部３３５−ａ〜ｃは、ビット数情報が示す計数したエラービット数を入力されたビット数で除算して、商であるＢＥＲをそれぞれ算出する。
【００６７】
ＭＥＲ測定部３３６は、等化処理部３２４が入力した周波数領域の信号に基づいて、変調誤差比を算出する。ここで、等化処理部３２４が入力した周波数領域の信号は、変調部１１０によって、マッピング処理がなされている。そこで、ＭＥＲ測定部３３６は、例えば、等化処理部３２４が入力した信号をＩ軸とＱ軸とによる複素平面上に配置して表現した場合に、理想的な配置との誤差の大きさを算出する。
【００６８】
なお、入力された送信用信号が切り替えられたときには、送信用信号の実際の品質よりもＭＥＲの測定結果が劣化しているように算出されてしまう。そこで、ＭＥＲ測定部３３６は、入力された送信用信号が切り替えられたときには、予め決められた時間が経過するまで前回の測定結果を保持する。そして、ＭＥＲ測定部３３６は、入力された送信用信号が切り替えられてから予め決められた時間が経過した場合に、新たにＭＥＲを測定する。なお、同期再生部３２２がＯＦＤＭシンボルの同期タイミングに応じたクロック同期信号を生成するように構成され、ＭＥＲ測定部３３６が、当該クロック同期信号およびＦＦＴ処理部３２３が生成したフレーム同期信号がいずれも有効になったタイミングで、ＭＥＲの測定を開始するように構成されていてもよい。
【００６９】
決定部３３７は、ＢＥＲ測定部３３５−ａ〜ｃによるＢＥＲの測定結果およびＭＥＲ測定部３３６によるＭＥＲの測定結果に基づいて、出力する送信用信号を決定する。そして、決定部３３７は、決定した送信用信号に応じた選択指示情報を生成して、出力同軸装置４００に入力する。
【００７０】
なお、変調部１１０，２１０、および品質監視部３２０は、例えば、プログラム制御に従って処理を実行するＣＰＵ（Ｃｅｎｔｒａｌ  Ｐｒｏｃｅｓｓｉｎｇ  Ｕｎｉｔ）や複数の回路によって実現される。
【００７１】
次に、本発明の第１の実施形態の送信品質監視システム３００の動作について説明する。図５は、本発明の第１の実施形態の送信品質監視システム３００の動作を説明するフローチャートである。
【００７２】
まず、信号切替部３１０が、入力された第１の送信用信号と、第２の送信用信号とのうち一方を順に選択し（ステップＳ１０１）、選択した送信用信号を品質監視部３２０に入力する。
【００７３】
本例では、前回のステップＳ１０１の処理で、第１の送信用信号を選択したとする。今回のステップＳ１０１の処理で、第２の送信用信号を選択したとする。すると、今回は、第２の送信用信号が品質監視部３２０に入力される。
【００７４】
品質監視部３２０は、入力された送信用信号（本例では、前回は第１の送信用信号、今回は第２の送信用信号）を復調（ステップＳ１０２）および復号（ステップＳ１０３）するとともに、入力された送信用信号のＭＥＲの測定（ステップＳ１０４）およびＢＥＲの測定（ステップＳ１０５）を行う。
【００７５】
したがって、前回のステップＳ１０４の処理では、第１の送信用信号のＭＥＲが測定されている。また、今回のステップＳ１０４の処理では、第２の送信用信号のＭＥＲが測定される。
【００７６】
また、前回のステップＳ１０５の処理では、第１の送信用信号のＢＥＲが測定されている。また、今回のステップＳ１０５の処理では、第２の送信用信号のＢＥＲが測定される。
【００７７】
なお、ステップＳ１０２の復調の処理は、例えば、直交復調処理部３２１で行われる。また、ステップＳ１０３の復号の処理は、例えば、ビタビ復号処理部３３１−ａ〜ｃ、およびＲＳ復号処理部３３４−ａ〜ｃで行われる。
【００７８】
そして、品質監視部３２０の決定部３３７は、前回のステップＳ１０４の処理結果、今回のステップＳ１０４の処理結果、前回のステップＳ１０５の処理結果、および今回のステップＳ１０５の処理結果に基づいて、出力する送信用信号を決定する（ステップＳ１０６）。
【００７９】
品質監視部３２０の決定部３３７は、ステップＳ１０６の処理で決定した送信用信号に応じた選択指示情報を生成して、出力同軸装置４００に入力する（ステップＳ１０７）。
【００８０】
すると、出力同軸装置４００から、ステップＳ１０６の処理で決定された送信用信号がアンテナ５００に入力されて送信される。
【００８１】
そして、送信品質監視システム３００は、ステップＳ１０１〜Ｓ１０７の処理を所定の時間間隔で繰り返す。すると、ステップＳ１０４，Ｓ１０５の処理における測定対象の送信用信号がステップＳ１０１の処理で所定の時間間隔で順に切り替えられ、ステップＳ１０６の処理における測定対象が、第１の送信用信号の品質と第２の送信用信号の品質との間で相互に切り替えることが可能になる。
【００８２】
ここで、ステップＳ１０６の処理について説明する。ＢＥＲの値に基づいて、受像機において適切な映像出力の可否を判定可能である。そこで、今回のステップＳ１０６の処理では、決定部３３７は、例えば、ＢＥＲ測定部３３５−ａ〜ｃの今回の測定結果のうち、もっとも大きい値のＢＥＲを、つまり、最も悪い品質に応じたＢＥＲの値を今回の測定結果であるとする。いずれの階層による送信用信号についても、受像機において適切に映像出力可能であることが望ましいからである。同様に、前回のステップＳ１０６の処理では、決定部３３７は、例えば、ＢＥＲ測定部３３５−ａ〜ｃの前回の測定結果のうち、もっとも大きい値のＢＥＲを、つまり、最も悪い品質に応じたＢＥＲの値を前回の測定結果であるとする。そして、決定部３３７は、例えば、第１の送信用信号のＢＥＲと第２の送信用信号のＢＥＲとを比較して、すなわち、前回のステップＳ１０４の処理結果と今回のステップＳ１０４の処理結果とを比較して、ＢＥＲの値がより小さい送信用信号を、出力する送信用信号と決定するとする。
【００８３】
ところで、本例では、第１の送信用信号および第２の送信用信号にはＲＳ復号部３３４により誤り訂正の処理が行われる。したがって、第１の送信用信号のＢＥＲおよび第２の送信用信号のＢＥＲは、品質の劣化に応じた誤りが誤り訂正可能な範囲内では、一定の値となる。そこで、品質監視部３２０の決定部３３７は、例えば、第１の送信用信号のＢＥＲおよび第２の送信用信号のＢＥＲが同じ値である場合、すなわち、前回のステップＳ１０５の処理結果、および今回のステップＳ１０５の処理結果が同じである場合に、前回のステップＳ１０４の処理結果と、今回のステップＳ１０４の処理結果とを比較して、ＭＥＲの値がより小さい送信用信号を、出力する送信用信号と決定するとする。
【００８４】
なお、ステップＳ１０６の処理における、出力する送信用信号と決定する基準はこれらに限られず、他の基準に基づいていてもよい。
【００８５】
本実施形態によれば、複数の送信用信号生成部１００，２００によって生成された送信用信号のうち、品質の監視対象とする送信用信号を所定の時間間隔で切り替える。したがって、複数の送信用信号生成部１００，２００によって生成された各々の送信用信号の品質を、より少ない数の品質測定手段である送信品質監視システム３００によって監視することができる。
【００８６】
よって、送信機１０を大型化したり消費電力を増大させたりすることなく、複数の送信用信号生成部１００，２００によって生成されたそれぞれの送信用信号の品質を監視することができる。
【００８７】
なお、本実施例では、２つの送信用信号生成部（送信用信号生成部１００，２００）と、１つの品質監視部３２０とが用意され、信号切替部３１０が、それら２つの送信用信号生成部が生成した送信用信号のうちいずれか一方を選択して品質監視部３２０に入力するように構成されている。しかし、３つ以上の送信用信号生成部が用意されていてもよいし、２つ以上の複数の品質監視部が用意されていてもよい。そして、信号切替部は、それら送信用信号生成部がそれぞれ生成した複数の送信用信号から、品質監視部の数に応じた数の送信用信号を品質監視用として選択するように構成されていてもよい。
【００８８】
実施形態２．
次に、本発明の第２の実施形態の信号監視装置１について図面を参照して説明する。図６は、本発明の第２の実施形態の信号監視装置１の構成例を示すブロック図である。
【００８９】
図６に示すように、本発明の第２の実施形態の信号監視装置１は、信号選択部（信号選択手段）３１、品質測定部（品質測定手段）３２、および送信用信号決定部（送信用信号決定手段）３７を含む。
【００９０】
信号選択部３１は、例えば、図１に示す信号切替部３１０に相当する。また、品質測定部３２は、例えば、図２に示すＭＥＲ測定部３３６および図４に示すＢＥＲ測定部３３５−ａ〜ｃに相当する。送信用信号決定部３７は、例えば、図４に示す決定部３３７に相当する。
【００９１】
信号選択部３１は、複数の送信用信号生成部（例えば、図１に示す第１の送信用信号生成部１００および第２の送信用信号生成部２００）から入力された複数の送信用信号（例えば、第１の送信用信号および第２の送信用信号）のうち、品質測定用の送信用信号を選択する。
【００９２】
品質測定部３２は、信号選択部３１が選択した品質測定用の送信用信号の品質を測定する。
【００９３】
そして、送信用信号決定部３７は、品質測定部３２が測定した品質に基づいて、送信する送信用信号を決定する。
【００９４】
本実施形態によれば、複数の送信用信号生成手段によって生成された送信用信号のうち品質測定用の送信用信号を選択して品質を測定するように構成されているので、より少ない数の品質測定部３２によって送信用信号を監視することができる。
【００９５】
よって、送信機を大型化したりおよび消費電力を増大させたりすることなく、複数の送信用信号の品質を監視することができる。
【符号の説明】
【００９６】
１    信号監視装置
３１    信号選択部
３２    品質測定部
３７    送信用信号決定部
１００    第１の送信用信号生成部
１１０、２１０    変調部
１２０、２２０    増幅部
２００    第２の送信用信号生成部
３００    送信品質監視システム
３１０    信号切替部
３２０    品質監視部
３２１    直交復調処理部
３２２    同期再生部
３２３    ＦＦＴ処理部
３２４    等化処理部
３２５    周波数デインターリーブ処理部
３２６    時間デインターリーブ処理部
３２８−ａ、３２８−ｂ、３２８−ｃ    デマッピング処理部
３２９−ａ、３２９−ｂ、３２９−ｃ    ビットデインターリーブ処理部
３３０−ａ、３３０−ｂ、３３０−ｃ    デパンクチャ処理部
３３１−ａ、３３１−ｂ、３３１−ｃ    ビタビ復号処理部
３３２−ａ、３３２−ｂ、３３２−ｃ    バイトデインターリーブ処理部
３３３−ａ、３３３−ｂ、３３３−ｃ    エネルギー逆拡散処理部
３３４−ａ、３３４−ｂ、３３４−ｃ    ＲＳ復号処理部
３３５−ａ、３３５−ｂ、３３５−ｃ    ＢＥＲ測定部
３３６    ＭＥＲ測定部
３３７    決定部
４００    出力同軸装置
４１０、４２０    帯域通過フィルタ
４３０    切替器
５００    アンテナ
【図１】
2020005021.tif 000003
【図２】
2020005021.tif 000004
【図３】
2020005021.tif 000005
【図４】
2020005021.tif 000006
【図５】
2020005021.tif 000007
【図６】
2020005021.tif 000008